(57)【特許請求の範囲】
【請求項１】
第１の操作者が画像読取装置で、複数の階層からなり記憶領域を識別する識別情報を対象とする操作を行うと、当該識別情報を取得する取得手段と、
前記画像読取装置で読み取られた画像の送信先を探索するための情報を表示する操作を、前記第１の操作者とは異なる第２の操作者が行うと、前記取得手段により取得された前記識別情報のうち、前記複数の階層における最上位の階層と当該最上位の階層の下位の階層とを少なくとも含む一部を、当該送信先を探索するための起点として表示する表示手段と
を備えたことを特徴とする情報処理装置。
【請求項２】
前記取得手段は、前記画像読取装置で読み取られた画像の送信先を識別する前記識別情報を指定する操作を前記第１の操作者が行うと、当該識別情報を取得することを特徴とする請求項１に記載の情報処理装置。
【請求項３】
前記取得手段は、複数の識別情報を保持する保持部に登録する前記識別情報を前記画像読取装置で指定する操作を前記第１の操作者が行うと、当該識別情報を取得することを特徴とする請求項１に記載の情報処理装置。
【請求項４】
前記取得手段は、複数の識別情報を保持する保持部から前記識別情報を読み込む処理を前記画像読取装置で指示する操作を前記第１の操作者が行うと、当該識別情報を取得することを特徴とする請求項１に記載の情報処理装置。
【請求項５】
前記表示手段は、前記識別情報により識別される記憶領域に接続可能な場合に、当該識別情報の前記一部を表示することを特徴とする請求項１乃至請求項４の何れかに記載の情報処理装置。
【請求項６】
前記表示手段は、前記識別情報により識別される記憶領域を前記第２の操作者が使用可能な場合に、当該識別情報の前記一部を表示することを特徴とする請求項１乃至請求項４の何れかに記載の情報処理装置。
【請求項７】
第１の操作者が自装置で、複数の階層からなり記憶領域を識別する識別情報を対象とする操作を行うと、当該識別情報を取得する取得手段と、
画像が記録された記録媒体から当該画像を読み取る読取手段と、
前記画像の送信先を探索するための情報を表示する操作を、前記第１の操作者とは異なる第２の操作者が行うと、前記取得手段により取得された前記識別情報のうち、前記複数の階層における最上位の階層と当該最上位の階層の下位の階層とを少なくとも含む一部を表示する表示手段と、
前記識別情報の一部を起点として探索することにより前記第２の操作者が指定した前記送信先に前記画像を送信する送信手段と
を備えたことを特徴とする画像読取装置。
【請求項８】
コンピュータに、
第１の操作者が画像読取装置で、複数の階層からなり記憶領域を識別する識別情報を対象とする操作を行うと、当該識別情報を取得する機能と、
前記画像読取装置で読み取られた画像の送信先を探索するための情報を表示する操作を、前記第１の操作者とは異なる第２の操作者が行うと、取得された前記識別情報のうち、前記複数の階層における最上位の階層と当該最上位の階層の下位の階層とを少なくとも含む一部を、当該送信先を探索するための起点として表示する機能と
を実現させるためのプログラム。
【発明の詳細な説明】
【技術分野】
【０００１】
本発明は、情報処理装置、画像読取装置及びプログラムに関する。
【背景技術】
【０００２】
複合機で読取った画像データをＬＡＮ上のＰＣに送信するのに必要な宛先情報（ホスト名やディレクトリ名）を探索し、その探索結果のリストを液晶タッチパネルに表示して選択させることにより設定する際、探索の進行操作は、ＵＩ画面を介して行う技術は知られている（例えば、特許文献１参照）。
【０００３】
ＦＡＸサ−バ（ネットワ−クスキャナ）で読み取り画像の画デ−タを形成し、ＬＡＮ等の通信ネットワ−クに接続されているファイルサ−バ、他のＦＡＸサ−バ、クライアントＰＣ等の配信先端末装置に配信する際に、部門コ−ド、ユ−ザコ−ドを指定すると、対応するフォルダに画デ−タが格納される技術も知られている（例えば、特許文献２参照）。
【先行技術文献】
【特許文献】
【０００４】
【特許文献１】特開２００３−２７４１０２号公報
【特許文献２】特開２００２−７７５００号公報
【発明の概要】
【発明が解決しようとする課題】
【０００５】
ここで、画像読取装置で読み取られた画像の送信先をブラウジングにより選択する場合、階層構造の最上位を起点として送信先を探索するため、操作手順が多かった。
【０００６】
本発明の目的は、画像読取装置で読み取られた画像の送信先をブラウジングにより選択する場合、階層構造の最上位を起点として送信先を探索する構成に比較して、操作手順を少なくすることにある。
【課題を解決するための手段】
【０００７】
請求項１に記載の発明は、第１の操作者が画像読取装置で、複数の階層からなり記憶領域を識別する識別情報を対象とする操作を行うと、当該識別情報を取得する取得手段と、前記画像読取装置で読み取られた画像の送信先を探索するための情報を表示する操作を、前記第１の操作者とは異なる第２の操作者が行うと、前記取得手段により取得された前記識別情報のうち、前記複数の階層における最上位の階層と当該最上位の階層の下位の階層とを少なくとも含む一部を、当該送信先を探索するための起点として表示する表示手段とを備えたことを特徴とする情報処理装置である。
請求項２に記載の発明は、前記取得手段は、前記画像読取装置で読み取られた画像の送信先を識別する前記識別情報を指定する操作を前記第１の操作者が行うと、当該識別情報を取得することを特徴とする請求項１に記載の情報処理装置である。
請求項３に記載の発明は、前記取得手段は、複数の識別情報を保持する保持部に登録する前記識別情報を前記画像読取装置で指定する操作を前記第１の操作者が行うと、当該識別情報を取得することを特徴とする請求項１に記載の情報処理装置である。
請求項４に記載の発明は、前記取得手段は、複数の識別情報を保持する保持部から前記識別情報を読み込む処理を前記画像読取装置で指示する操作を前記第１の操作者が行うと、当該識別情報を取得することを特徴とする請求項１に記載の情報処理装置である。
請求項５に記載の発明は、前記表示手段は、前記識別情報により識別される記憶領域に接続可能な場合に、当該識別情報の前記一部を表示することを特徴とする請求項１乃至請求項４の何れかに記載の情報処理装置である。
請求項６に記載の発明は、前記表示手段は、前記識別情報により識別される記憶領域を前記第２の操作者が使用可能な場合に、当該識別情報の前記一部を表示することを特徴とする請求項１乃至請求項４の何れかに記載の情報処理装置である。
請求項７に記載の発明は、第１の操作者が自装置で、複数の階層からなり記憶領域を識別する識別情報を対象とする操作を行うと、当該識別情報を取得する取得手段と、画像が記録された記録媒体から当該画像を読み取る読取手段と、前記画像の送信先を探索するための情報を表示する操作を、前記第１の操作者とは異なる第２の操作者が行うと、前記取得手段により取得された前記識別情報のうち、前記複数の階層における最上位の階層と当該最上位の階層の下位の階層とを少なくとも含む一部を表示する表示手段と、前記識別情報の一部を起点として探索することにより前記第２の操作者が指定した前記送信先に前記画像を送信する送信手段とを備えたことを特徴とする画像読取装置である。
請求項８に記載の発明は、コンピュータに、第１の操作者が画像読取装置で、複数の階層からなり記憶領域を識別する識別情報を対象とする操作を行うと、当該識別情報を取得する機能と、前記画像読取装置で読み取られた画像の送信先を探索するための情報を表示する操作を、前記第１の操作者とは異なる第２の操作者が行うと、取得された前記識別情報のうち、前記複数の階層における最上位の階層と当該最上位の階層の下位の階層とを少なくとも含む一部を、当該送信先を探索するための起点として表示する機能とを実現させるためのプログラムである。
【発明の効果】
【０００８】
請求項１の発明によれば、画像読取装置で読み取られた画像の送信先をブラウジングにより選択する場合、階層構造の最上位を起点として送信先を探索する構成に比較して、操作手順が少なくなる。
請求項２の発明によれば、画像読取装置で読み取られた画像の送信先を第１の操作者が指定したことがある状態で、画像読取装置で読み取られた画像の送信先を第２の操作者がブラウジングにより選択する場合、階層構造の最上位を起点として送信先を探索する構成に比較して、操作手順が少なくなる。
請求項３の発明によれば、保持部に登録する送信先を第１の操作者が指定したことがある状態で、画像読取装置で読み取られた画像の送信先を第２の操作者がブラウジングにより選択する場合、階層構造の最上位を起点として送信先を探索する構成に比較して、操作手順が少なくなる。
請求項４の発明によれば、保持部からの送信先の読み込みを第１の操作者が指示したことがある状態で、画像読取装置で読み取られた画像の送信先を第２の操作者がブラウジングにより選択する場合、階層構造の最上位を起点として送信先を探索する構成に比較して、操作手順が少なくなる。
請求項５の発明によれば、記憶領域に接続可能でなくても記憶領域の識別情報の一部を探索の起点として表示する場合に比較して、画像読取装置で読み取られた画像の送信先を探索することにより指定された送信先に画像を送信できる可能性が高まる。
請求項６の発明によれば、記憶領域を第２の操作者が使用可能でなくても記憶領域の識別情報の一部を探索の起点として表示する場合に比較して、画像読取装置で読み取られた画像の送信先を探索することにより第２の操作者が指定した送信先に画像を送信できる可能性が高まる。
請求項７の発明によれば、自装置で読み取られた画像の送信先をブラウジングにより選択する場合、階層構造の最上位を起点として送信先を探索する構成に比較して、操作手順が少なくなる。
請求項８の発明によれば、画像読取装置で読み取られた画像の送信先をブラウジングにより選択する場合、階層構造の最上位を起点として送信先を探索する構成に比較して、操作手順が少なくなる。
【図面の簡単な説明】
【０００９】
【図１】本発明の実施の形態が適用される画像読取システムの全体構成例を示した図である。
【図２】本発明の実施の形態における画像読取装置のハードウェア構成例を示した図である。
【図３】画像読み取りに関する設定を行うための設定画面の一例を示した図である。
【図４】ブラウジング起点リストモードで表示されるブラウジング起点リスト画面の一例を示した図である。
【図５】本発明の実施の形態における保存先指定支援装置の機能構成例を示したブロック図である。
【図６】（ａ）〜（ｃ）はブラウジング起点リスト保持部に保持されるブラウジング起点リストの例を示した図である。
【図７】本発明の実施の形態における保存先指定支援装置のブラウジング起点パス登録時の第１の動作例を示したフローチャートである。
【図８】本発明の実施の形態における保存先指定支援装置のブラウジング起点パス登録時の第２の動作例を示したフローチャートである。
【図９】本発明の実施の形態における保存先指定支援装置のブラウジング起点パス登録時の第３の動作例を示したフローチャートである。
【図１０】本発明の実施の形態における保存先指定支援装置のブラウジング起点リスト利用時の第１の動作例を示したフローチャートである。
【図１１】本発明の実施の形態における保存先指定支援装置のブラウジング起点リスト利用時の第２の動作例を示したフローチャートである。
【発明を実施するための形態】
【００１０】
以下、添付図面を参照して、本発明の実施の形態について詳細に説明する。
【００１１】
［画像形成システムの全体構成］
図１は、本実施の形態が適用される画像読取システムの全体構成例を示した図である。図示するように、この画像読取システムは、画像読取装置１０と、端末装置４０ａ〜４０ｃとが、通信回線８０を介して接続されることにより、構成されている。尚、図では、端末装置４０ａ〜４０ｃを示したが、これらを区別する必要がない場合は、端末装置４０と称する。また、図には、２つの端末装置４０しか示していないが、３つ以上の端末装置４０を設けてもよい。
【００１２】
画像読取装置１０は、画像が記録された紙等の記録媒体から画像を読み取る装置である。読み取った画像は、画像データとして、自装置内に保存したり、端末装置４０に送信したりする。また、画像読取装置１０は、記録媒体から画像を読み取るスキャナ機能のみを備えたものでもよいが、以下では、記録媒体に画像を形成するプリンタ機能や画像データを送受信するファクシミリ機能も備えたものとする。
【００１３】
端末装置４０は、画像読取装置１０が送信した画像データを保存するコンピュータ装置である。
【００１４】
通信回線８０は、画像読取装置１０と端末装置４０との間の情報通信に用いられる通信手段であり、例えば、インターネットである。
【００１５】
［画像読取装置のハードウェア構成］
図２は、本実施の形態における画像読取装置１０のハードウェア構成例を示した図である。図示するように、画像読取装置１０は、ＣＰＵ（Central Processing Unit）１１と、ＲＡＭ（Random Access Memory）１２と、ＲＯＭ（Read Only Memory）１３と、ＨＤＤ（Hard Disk Drive）１４と、操作パネル１５と、画像読取部１６と、画像形成部１７と、通信インターフェース（以下、「通信Ｉ／Ｆ」と表記する）１８とを備える。
【００１６】
ＣＰＵ１１は、ＲＯＭ１３等に記憶された各種プログラムをＲＡＭ１２にロードして実行することにより、後述する各機能を実現する。
【００１７】
ＲＡＭ１２は、ＣＰＵ１１の作業用メモリ等として用いられるメモリである。
【００１８】
ＲＯＭ１３は、ＣＰＵ１１が実行する各種プログラム等を記憶するメモリである。
【００１９】
ＨＤＤ１４は、画像読取部１６が読み取った画像データや画像形成部１７における画像形成にて用いる画像データ等を記憶する例えば磁気ディスク装置である。
【００２０】
操作パネル１５は、各種情報の表示やユーザからの操作入力の受付を行う例えばタッチパネルである。ここで、操作パネル１５は、各種情報が表示されるディスプレイと、指やスタイラスペン等で指示された位置を検出する位置検出シートとからなる。或いは、タッチパネルに代えて、ディスプレイ及びキーボードを用いてもよい。
【００２１】
画像読取部１６は、読取手段の一例であり、紙等の記録媒体に記録された画像を読み取る。ここで、画像読取部１６は、例えばスキャナであり、光源から原稿に照射した光に対する反射光をレンズで縮小してＣＣＤ（Charge Coupled Devices）で受光するＣＣＤ方式や、ＬＥＤ光源から原稿に順に照射した光に対する反射光をＣＩＳ（Contact Image Sensor）で受光するＣＩＳ方式のものを用いるとよい。
【００２２】
画像形成部１７は、記録媒体に画像を形成する。ここで、画像形成部１７は、例えばプリンタであり、感光体に付着させたトナーを記録媒体に転写して像を形成する電子写真方式や、インクを記録媒体上に吐出して像を形成するインクジェット方式のものを用いるとよい。
【００２３】
通信Ｉ／Ｆ１８は、送信手段の一例であり、通信回線８０を介して他の装置との間で各種情報の送受信を行う。
【００２４】
［本実施の形態の背景］
このような画像読取装置１０で読み取られた画像データを、通信回線８０上で共有される端末装置４０等のフォルダにＳＭＢ（Server Message Block）プロトコルで送信し保存したい場合がある。その場合、ユーザは、画像読取装置１０の操作パネル１５から保存先を指定して、読み取った画像データを直接その保存先に保存する。
【００２５】
しかしながら、そのような操作を行う場合、ユーザは、保存先（送信先）の端末装置４０のＩＤ（ホスト名やＩＰアドレス）に加え、その保存先のパス、その端末装置４０にログインするためのユーザ名及びパスワードを正しく設定する必要がある。従って、画像読取装置１０からの画像データの送信において、保存先（送信先）を指定する作業に手間がかかっていた。また、保存先（送信先）を事前に画像読取装置１０に登録しておくこともあるが、そのような作業にも手間がかかっていた。
【００２６】
特に、画像読取装置１０で読み取った画像データを端末装置４０等のフォルダに保存する機能を初めて使うユーザは、画像読取装置１０の操作パネル１５から保存先を文字で入力しなければならない場合もあり、このような機能を初めて使うユーザにとっては使い難いものであった。
【００２７】
そこで、本実施の形態では、例えばユーザが初めて画像読取装置１０で読み取った画像データを端末装置４０等のフォルダに保存する際にも、保存先（送信先）を指定する処理又は保存先（送信先）を画像読取装置１０に登録する処理を、簡単に実行可能とする。具体的には、既に他のユーザが利用した保存先のパスの全体又は一部を、ＳＭＢブラウジング（以下、単に「ブラウジング」という）を行う際の起点としてリスト表示し、その中から所望の起点を選択してブラウジングを行うことを可能とする。
【００２８】
［本実施の形態の概要］
図３は、画像読取装置１０の操作パネル１５に表示される画像読み取りに関する設定を行うための設定画面の一例を示した図である。図は、この設定画面において、保存先タブ３１を選択したときの状態を示している。この状態で、例えば、ブラウジング起点リストボタン３２を押下すると、ブラウジング起点リストを参照して保存先を決定するブラウジング起点リストモードに切り替わる。
【００２９】
図４は、ブラウジング起点リストモードで表示されるブラウジング起点リスト画面の一例を示した図である。このブラウジング起点リスト画面には、ブラウジング起点パスとユーザＩＤとの組み合わせをリスト化したブラウジング起点リストが表示される。
【００３０】
ここで、ブラウジング起点パスは、対応するユーザＩＤでログインされているときに利用されたフォルダのパスの全部又は一部である。これから画像データを保存するユーザは、過去に他のユーザが利用した保存先をそのまま自分の保存先として指定したり、過去に他のユーザが利用した保存先の配下の保存先を自分の保存先として指定したり、過去に他のユーザが利用した保存先の上位の保存先を自分の保存先として指定したりする。また、ユーザＩＤは、これから画像データを保存するユーザがブラウジング起点パスを自分の保存先を指定するために利用できるかどうかを判断するための手がかりとして表示される。
【００３１】
そして、このブラウジング起点リスト画面において、ユーザは、決定ボタン３３ａ〜３３ｄの何れかを押下することにより、対応するブラウジング起点パスの選択を確定し、決定ボタン３４を押下することにより、選択されたブラウジング起点パスを利用した保存先の指定を確定する。また、ログイン確認ボタン３５を押下すると、画像読取装置１０は、図１１の動作例に示すように、選択されたブラウジング起点パスに、入力されたユーザＩＤ及びパスワードでログインできるかを確認する動作を行う。
【００３２】
更に、このブラウジング起点リスト画面において、ブラウジング起点リストは、ブラウジング起点パスの絞り込みが行われたものであってもよいし、ブラウジング起点パスの表示順序の入れ替えが行われたものであってもよい。このうち、表示順序の入れ替えの例としては、多くのユーザが利用したブラウジング起点パスほど上位に表示するというものがある。或いは、送信可能であることやパスが実在すること等を確認することにより、画像データを送信できる可能性が高いブラウジング起点パスほど上位に表示するというものでもよい。尚、ここでいう「上位」とは、ブラウジング起点リスト画面の上側には限らず、ブラウジング起点リストにおける優先度が高いブラウジング起点パスが表示される位置をいうものとする。
【００３３】
［保存先指定支援装置の機能構成］
図５は、このような画面を表示することにより画像データの保存先の指定を支援する保存先指定支援装置２０の機能構成例を示したブロック図である。ここで、保存先指定支援装置２０は、情報処理装置の一例であり、画像読取装置１０のＣＰＵ１１（図２参照）が、後述する各機能部を実現するプログラムを例えばＲＯＭ１３（図２参照）からＲＡＭ１２（図２参照）に読み込んで実行することにより、実現される装置として捉えられる。
【００３４】
図示するように、保存先指定支援装置２０は、ブラウジング起点リスト保持部２１と、ブラウジング起点リスト管理部２２と、画像取得部２３と、操作受付部２４と、送信情報生成部２５と、送信部２６と、受信部２７と、表示情報生成部２８と、表示制御部２９とを備える。
【００３５】
ブラウジング起点リスト保持部２１は、上述したようにブラウジング起点パスとログインユーザとの組み合わせをリスト化したブラウジング起点リストを保持する。尚、ブラウジング起点リストの詳細については、後述する。
【００３６】
ブラウジング起点リスト管理部２２は、ブラウジング起点リスト保持部２１に保持されるブラウジング起点リストを管理する。具体的には、保存先のパス及びユーザＩＤを操作受付部２４又は受信部２７から受け取ると、予め定められた規則に従って保存先のパスの全部又は一部をブラウジング起点パスとして抽出し、これとユーザＩＤとをブラウジング起点リストに登録する。また、ブラウジング起点リスト画面を表示するユーザ操作があった旨を操作受付部２４から受け取ると、ブラウジング起点リスト保持部２１に保持されるブラウジング起点リストからブラウジング起点パス及びユーザＩＤを読み出して表示情報生成部２８に出力する。更に、ブラウジング起点リスト画面上でユーザＩＤ及びパスワードを入力するユーザ操作があった旨を操作受付部２４から受け取ると、ブラウジング起点リスト保持部２１に保持されるブラウジング起点リストからそのユーザＩＤ及びパスワードでログイン可能なブラウジング起点パス及び対応するユーザＩＤを読み出して表示情報生成部２８に出力する。
【００３７】
画像取得部２３は、画像読取部１６が読み取った画像データをＨＤＤ１４（図２参照）から取得する。
【００３８】
操作受付部２４は、操作パネル１５（図２参照）上でのユーザ操作を受け付ける。具体的には、画像データを送信する保存先のパスを指定するユーザ操作を受け付けた場合、自装置で保持するアドレス帳（以下、「ローカルアドレス帳」という）に登録する保存先のパスを指定するユーザ操作を受け付けた場合、又は、外部のアドレスサーバ（図示せず）に保持されたアドレス帳（以下、「リモートアドレス帳」という）からの保存先のパスの取り込みを指示するユーザ操作を受け付けた場合は、その旨の情報をブラウジング起点リスト管理部２２及び送信情報生成部２５に出力する。また、ブラウジング起点リスト画面上でログイン確認ボタン３５（図４参照）を押下するユーザ操作を受け付けた場合は、その旨の情報を表示情報生成部２８に出力し、その後、ユーザＩＤ及びパスワードを入力するユーザ操作を受け付けた場合は、その旨の情報をブラウジング起点リスト管理部２２に出力する。本実施の形態では、記憶領域を識別する識別情報の一例として、保存先のパスを用いており、識別情報を取得する取得手段の一例として、操作受付部２４を設けている。また、複数の識別情報を保持する保持部の一例として、ローカルアドレス帳又はリモートアドレス帳を用いている。
【００３９】
送信情報生成部２５は、送信部２６により送信する送信情報を生成する。具体的には、画像データを保存する保存先のパスを指定するユーザ操作があった旨を操作受付部２４から受け取ると、画像取得部２３が取得した画像を含む送信情報を生成する。また、ローカルアドレス帳に登録する保存先のパスを指定するユーザ操作があった旨を操作受付部２４から受け取ると、自身が管理するローカルアドレス帳にその保存先を登録し、その保存先にアクセスできるかどうかの検証要求を含む送信情報を生成する。更に、リモートアドレス帳からの保存先のパスの取り込みを指示するユーザ操作があった旨を操作受付部２４から受け取ると、保存先の取得要求を含む送信情報を生成し、その後、取得した保存先にアクセスできるかどうかの検証要求を含む送信情報を生成する。更にまた、ブラウジング起点リスト管理部２２からブラウジング起点パス、ユーザＩＤ及びパスワードを受け取ると、そのブラウジング起点パスにそのユーザＩＤ及びパスワードでログインできるかどうかの検証要求を含む送信情報を生成する。
【００４０】
送信部２６は、送信情報生成部２５により生成された送信情報を送信する。具体的には、画像取得部２３が取得した画像を含む送信情報が送信情報生成部２５により生成されると、指定された保存先である端末装置４０のフォルダにその送信情報を送信する。また、保存先の取得要求を含む送信情報が送信情報生成部２５により生成されると、アドレスサーバ（図示せず）にその送信情報を送信する。更に、保存先にアクセスできるかどうかの検証要求を含む送信情報が送信情報生成部２５により生成されると、その保存先を有する端末装置４０にその送信情報を送信する。更にまた、ブラウジング起点パスにログインできるかどうかの検証要求を含む送信情報が送信情報生成部２５により生成されると、そのパスに対応する端末装置４０にその送信情報を送信する。
【００４１】
受信部２７は、他の装置から情報を受信する。具体的には、画像データの保存先への保存が正常終了したかどうかの応答を端末装置４０から受信する。また、リモートアドレス帳に登録されている保存先のパスをアドレスサーバ（図示せず）から受信する。更に、保存先にアクセスできるかどうかの検証要求に対する応答を端末装置４０から受信する。更にまた、ブラウジング起点パスにログインできるかどうかの検証要求に対する応答を端末装置４０から受信する。
【００４２】
表示情報生成部２８は、表示制御部２９が操作パネル１５（図２参照）に表示されるように制御する画面等の元となる表示情報を生成する。具体的には、ブラウジング起点パス及びユーザＩＤをブラウジング起点リスト管理部２２から受け取ると、これらをリスト化したブラウジング起点リストを含むブラウジング起点リスト画面の元となる表示情報を生成する。また、ブラウジング起点リスト画面上でログイン確認ボタン３５（図４参照）を押下するユーザ操作があった旨を操作受付部２４から受け取ると、ユーザＩＤ及びパスワードを入力するための画面の元となる表示情報を生成する。
【００４３】
表示制御部２９は、表示情報生成部２８により生成された表示情報に基づく画面等が操作パネル１５（図２参照）に表示されるように制御する。例えば、保存先のパスの全部又は一部を含むブラウジング起点リスト画面が表示されるように制御する。本実施の形態では、識別情報の一部を表示する表示手段の一例として、表示制御部２９を設けている。
【００４４】
尚、これらの処理部は、ソフトウェアとハードウェア資源とが協働することにより実現される。具体的には、ＣＰＵ１１（図２参照）が、ブラウジング起点リスト保持部２１、ブラウジング起点リスト管理部２２、画像取得部２３、操作受付部２４、送信情報生成部２５、送信部２６、受信部２７、表示情報生成部２８及び表示制御部２９を実現するプログラムを例えばＲＯＭ１３（図２参照）からＲＡＭ１２（図２参照）に読み込んで実行することにより、これらの処理部は実現される。
【００４５】
図６（ａ）〜（ｃ）は、ブラウジング起点リスト保持部２１に保持されるブラウジング起点リストの例を示した図である。既に述べた通り、ブラウジング起点リストは、ブラウジング起点パスと、ユーザＩＤとからなる。また、ブラウジング起点リストは、予め定められた規則に従って保存先のパスの全部又は一部がブラウジング起点パスとして登録されたものなので、ここでは、３種類の規則に従って登録されたブラウジング起点リストを示す。
【００４６】
（ａ）は、ユーザが指定した保存先のパスの全部をブラウジング起点パスとするという規則に従って登録されたブラウジング起点リストの例である。この例では、各ユーザが保存先のパスとして指定した「\\Server\Share1\Folder1\FolderA」、「\\Server\Share1\Folder1\FolderB」、「\\Server\Share1\Folder2\FolderC」及び「\\Server\Share2\Folder3\FolderD」がそのまま登録されていることが示されている。
【００４７】
（ｂ）は、ユーザが指定した保存先のパスのうちのサーバ名と共有名とフォルダの第１階層までをブラウジング起点パスとするという規則に従って登録されたブラウジング起点リストの例である。この例では、上位３階層までが同じ「\\Server\Share1\Folder1\FolderA」及び「\\Server\Share1\Folder1\FolderB」が「\\Server\Share1\Folder1」に集約して登録され、「\\Server\Share1\Folder2\FolderC」が「\\Server\Share1\Folder2」として登録され、「\\Server\Share2\Folder3\FolderD」が「\\Server\Share2\Folder3」として登録されていることが示されている。
【００４８】
（ｃ）は、ユーザが指定した保存先のパスのうちのサーバ名と共有名をブラウジング起点パスとするという規則に従って登録されたブラウジング起点リストの例である。この例では、上位２階層までが同じ「\\Server\Share1\Folder1」及び「\\Server\Share1\Folder2」が「\\Server\Share1」に集約して登録され、「\\Server\Share2\Folder3」が「\\Server\Share2」として登録されていることが示されている。
【００４９】
［保存先指定支援装置の動作］
図７は、本実施の形態における保存先指定支援装置２０のブラウジング起点パス登録時の第１の動作例を示したフローチャートである。この第１の動作例において、保存先指定支援装置２０は、ユーザが画像データを保存する保存先を指定したときにブラウジング起点パスを登録する。
【００５０】
動作が開始すると、保存先指定支援装置２０では、まず、操作受付部２４が、画像データを保存する保存先を入力して確定するユーザ操作を受け付ける（ステップ１０１）。このとき、保存先のパス及びログインユーザのユーザＩＤが、送信情報生成部２５及びブラウジング起点リスト管理部２２に送られる。
【００５１】
次に、画像読取装置１０に原稿がセットされ、原稿からの画像読み取りを指示するスタートボタンが押下されると、保存先指定支援装置２０は、原稿から読み取られた画像データを、ステップ１０１で確定された保存先を有する端末装置４０に送信する（ステップ１０２）。具体的には、スタートボタンが押下されると、画像読取部１６（図２参照）により読み取られた画像データがＨＤＤ１４（図２参照）に記憶されるので、まず、画像取得部２３がＨＤＤ１４から画像データを取得する。次に、送信情報生成部２５が、画像取得部２３が取得した画像を含む送信情報を生成する。次いで、送信部２６が、送信情報生成部２５から保存先の情報を受け取り、その保存先を有する端末装置４０に送信情報を送信する。
【００５２】
その後、保存先指定支援装置２０は、画像データの保存先への保存が正常終了したかどうかを判定する（ステップ１０３）。具体的には、まず、受信部２７が、ステップ１０２で実行した画像データの保存先への送信に対する応答を受信する。次に、ブラウジング起点リスト管理部２２が、受信部２７から応答を受け取り、応答内容に基づいて、画像データの保存先への送信が正常終了したかどうかを判定する。
【００５３】
画像データの保存先への送信が正常終了しなかったと判定されれば、処理は終了する。画像データの保存先への送信が正常終了したと判定すれば、ブラウジング起点リスト管理部２２は、保存先のパスの全部又は一部をブラウジング起点パスとして抽出する（ステップ１０４）。尚、このパスの全部又は一部の抽出は、予め定められた規則に従って行えばよい。この予め定められた規則としては、サーバ名のみ、サーバ名と共有名、サーバ名と共有名とフォルダの第１階層まで、サーバ名と共有名とフォルダの第２階層まで、サーバ名と共有名とフォルダの全ての階層等を抽出する規則が考えられる。
【００５４】
そして、ブラウジング起点リスト管理部２２は、ブラウジング起点リスト保持部２１に保持されたブラウジング起点リストに、ステップ１０４でブラウジング起点パスとして抽出したパスと同じパスが登録されているかどうかを判定する（ステップ１０５）。
【００５５】
ブラウジング起点リストに同じパスが登録されていると判定されれば、処理は終了する。ブラウジング起点リストに同じパスが登録されていないと判定すれば、ブラウジング起点リスト管理部２２は、ステップ１０４でブラウジング起点パスとして抽出したパスを、ブラウジング起点リストに登録する（ステップ１０６）。尚、このとき、ブラウジング起点リスト管理部２２は、ステップ１０１で操作受付部２４から送られてきたユーザＩＤもブラウジング起点リストに登録するものとする。
【００５６】
図８は、本実施の形態における保存先指定支援装置２０のブラウジング起点パス登録時の第２の動作例を示したフローチャートである。この第２の動作例において、保存先指定支援装置２０は、ユーザがローカルアドレス帳に保存先を登録したときにブラウジング起点パスを登録する。
【００５７】
動作が開始すると、保存先指定支援装置２０では、まず、操作受付部２４が、ローカルアドレス帳に登録する保存先を入力して確定するユーザ操作を受け付ける（ステップ１２１）。このとき、保存先のパス及びログインユーザのユーザＩＤが、送信情報生成部２５及びブラウジング起点リスト管理部２２に送られる。
【００５８】
次に、送信情報生成部２５が、ステップ１２１で確定された保存先を、自身が保持するローカルアドレス帳に登録する（ステップ１２２）。
【００５９】
次いで、保存先指定支援装置２０は、ローカルアドレス帳に登録した保存先に現在アクセス可能であるかどうかを問い合わせる（ステップ１２３）。具体的には、まず、ブラウジング起点リスト管理部２２が、操作受付部２４から受け取った保存先のパスを送信情報生成部２５に出力する。次に、送信情報生成部２５が、この保存先にアクセスできるかどうかの検証要求を含む送信情報を生成する。次いで、送信部２６が、この送信情報をその保存先を有する端末装置４０に送信する。
【００６０】
その後、保存先指定支援装置２０は、ステップ１２３での問い合わせに対する応答に基づいて、ローカルアドレス帳に登録した保存先に現在アクセス可能であるかどうかを判定する（ステップ１２４）。具体的には、まず、受信部２７が、ステップ１２３で送信した検証要求に対する応答を受信する。次に、ブラウジング起点リスト管理部２２が、受信部２７から応答を受け取り、応答内容に基づいて、保存先に現在アクセス可能かどうかを判定する。
【００６１】
ローカルアドレス帳に登録した保存先に現在アクセス可能でないと判定されれば、処理は終了する。ローカルアドレス帳に登録した保存先に現在アクセス可能であると判定すれば、ブラウジング起点リスト管理部２２は、保存先のパスの全部又は一部をブラウジング起点パスとして抽出する（ステップ１２５）。尚、このパスの全部又は一部の抽出は、予め定められた規則に従って行えばよい。この予め定められた規則としては、サーバ名のみ、サーバ名と共有名、サーバ名と共有名とフォルダの第１階層まで、サーバ名と共有名とフォルダの第２階層まで、サーバ名と共有名とフォルダの全ての階層等を抽出する規則が考えられる。
【００６２】
そして、ブラウジング起点リスト管理部２２は、ブラウジング起点リスト保持部２１に保持されたブラウジング起点リストに、ステップ１２５でブラウジング起点パスとして抽出したパスと同じパスが登録されているかどうかを判定する（ステップ１２６）。
【００６３】
ブラウジング起点リストに同じパスが登録されていると判定されれば、処理は終了する。ブラウジング起点リストに同じパスが登録されていないと判定すれば、ブラウジング起点リスト管理部２２は、ステップ１２５でブラウジング起点パスとして抽出したパスを、ブラウジング起点リストに登録する（ステップ１２７）。尚、このとき、ブラウジング起点リスト管理部２２は、ステップ１２１で操作受付部２４から送られてきたユーザＩＤもブラウジング起点リストに登録するものとする。
【００６４】
尚、この動作例は、ローカルアドレス帳に適用するものとしたが、リモートアドレス帳に適用するものとしてもよい。即ち、ユーザがリモートアドレス帳に保存先を登録したときにブラウジング起点パスを登録することとしてもよい。
【００６５】
図９は、本実施の形態における保存先指定支援装置２０のブラウジング起点パス登録時の第３の動作例を示したフローチャートである。この第３の動作例において、保存先指定支援装置２０は、ユーザがリモートアドレス帳から保存先を取得したときにブラウジング起点パスを登録する。
【００６６】
動作が開始すると、保存先指定支援装置２０では、まず、操作受付部２４が、リモートアドレス帳から保存先を選択して取得するユーザ操作を受け付ける（ステップ１４１）。このとき、ログインユーザのユーザＩＤが、ブラウジング起点リスト管理部２２に送られる。
【００６７】
次に、保存先指定支援装置２０は、ステップ１４１で選択された保存先を、アドレスサーバ（図示せず）に保持されたリモートアドレス帳から取得する（ステップ１４２）。具体的には、まず、送信情報生成部２５が、保存先の取得要求を含む送信情報を生成し、送信部２６が、この送信情報をアドレスサーバに送信する。次に、受信部２７が、保存先のパスをアドレスサーバから受信し、ブラウジング起点リスト管理部２２が、保存先のパスを受信部２７から受け取る。
【００６８】
次いで、保存先指定支援装置２０は、リモートアドレス帳から取得した保存先に現在アクセス可能であるかどうかを問い合わせる（ステップ１４３）。具体的には、まず、ブラウジング起点リスト管理部２２が、受信部２７から受け取った保存先のパスを送信情報生成部２５に出力する。次に、送信情報生成部２５が、この保存先にアクセスできるかどうかの検証要求を含む送信情報を生成する。次いで、送信部２６が、この送信情報をその保存先を有する端末装置４０に送信する。
【００６９】
その後、保存先指定支援装置２０は、ステップ１４３での問い合わせに対する応答に基づいて、リモートアドレス帳から取得した保存先に現在アクセス可能であるかどうかを判定する（ステップ１４４）。具体的には、まず、受信部２７が、ステップ１４３で送信した検証要求に対する応答を受信する。次に、ブラウジング起点リスト管理部２２が、受信部２７から応答を受け取り、応答内容に基づいて、保存先に現在アクセス可能かどうかを判定する。
【００７０】
リモートアドレス帳から取得した保存先に現在アクセス可能でないと判定されれば、処理は終了する。リモートアドレス帳から取得した保存先に現在アクセス可能であると判定すれば、ブラウジング起点リスト管理部２２は、保存先のパスの全部又は一部をブラウジング起点パスとして抽出する（ステップ１４５）。尚、このパスの全部又は一部の抽出は、予め定められた規則に従って行えばよい。この予め定められた規則としては、サーバ名のみ、サーバ名と共有名、サーバ名と共有名とフォルダの第１階層まで、サーバ名と共有名とフォルダの第２階層まで、サーバ名と共有名とフォルダの全ての階層等を抽出する規則が考えられる。
【００７１】
そして、ブラウジング起点リスト管理部２２は、ブラウジング起点リスト保持部２１に保持されたブラウジング起点リストに、ステップ１４５でブラウジング起点パスとして抽出したパスと同じパスが登録されているかどうかを判定する（ステップ１４６）。
【００７２】
ブラウジング起点リストに同じパスが登録されていると判定されれば、処理は終了する。ブラウジング起点リストに同じパスが登録されていないと判定すれば、ブラウジング起点リスト管理部２２は、ステップ１４５でブラウジング起点パスとして抽出したパスを、ブラウジング起点リストに登録する（ステップ１４７）。尚、このとき、ブラウジング起点リスト管理部２２は、ステップ１４１で操作受付部２４から送られてきたユーザＩＤもブラウジング起点リストに登録するものとする。
【００７３】
尚、この動作例は、リモートアドレス帳に適用するものとしたが、ローカルアドレス帳に適用するものとしてもよい。即ち、ユーザがローカルアドレス帳から保存先を取得したときにブラウジング起点パスを登録することとしてもよい。
【００７４】
図１０は、本実施の形態における保存先指定支援装置２０のブラウジング起点リスト利用時の第１の動作例を示したフローチャートである。この第１の動作例において、保存先指定支援装置２０は、ユーザに、ブラウジング起点リストをそのまま利用させる。尚、この動作は、図３に示した状態の設定画面が操作パネル１５（図２参照）に表示されているときに開始するものとする。
【００７５】
動作が開始すると、保存先指定支援装置２０では、まず、操作受付部２４が、ブラウジング起点リストボタン３２（図３参照）を押下するユーザ操作を受け付ける（ステップ１６１）。
【００７６】
すると、保存先指定支援装置２０は、ブラウジング起点リストを表示する（ステップ１６２）。具体的には、まず、ブラウジング起点リスト管理部２２が、ブラウジング起点リスト保持部２１に保持されているブラウジング起点リストを表示情報生成部２８に出力する。次に、表示情報生成部２８が、このブラウジング起点リストを含むブラウジング起点リスト画面を表示するための表示情報を生成する。次いで、表示制御部２９が、この表示情報に基づいてブラウジング起点リスト画面が操作パネル１５（図２参照）に表示されるように制御する。
【００７７】
その後、操作受付部２４が、ブラウジング起点リスト上でブラウジング起点パスを選択するユーザ操作を受け付ける（ステップ１６３）。そして、この選択されたブラウジング起点パスを起点としてブラウジングを行い、画像データの保存先を決定するユーザ操作を受け付ける（ステップ１６４）。
【００７８】
尚、ここで決定された保存先の情報は、送信情報生成部２５に渡され、画像取得部２３が取得した画像データと共に、送信情報生成部２５から送信部２６へ渡されることになる。そして、送信部２６により、画像データがその決定された保存先に送信されることになる。
【００７９】
また、図７の動作例で説明したように、ステップ１６４で決定された保存先のパスも、ブラウジング起点リスト管理部２２に渡され、ブラウジング起点パスとして登録する処理の対象となってよい。
【００８０】
図１１は、本実施の形態における保存先指定支援装置２０のブラウジング起点リスト利用時の第２の動作例を示したフローチャートである。この第２の動作例において、保存先指定支援装置２０は、ユーザに、ブラウジング起点リストのうちそのユーザがログイン可能なもののみを利用させる。尚、この動作は、図３に示した状態の設定画面が操作パネル１５（図２参照）に表示されているときに開始するものとする。
【００８１】
動作が開始すると、保存先指定支援装置２０では、まず、操作受付部２４が、ブラウジング起点リストボタン３２（図３参照）を押下するユーザ操作を受け付ける（ステップ１８１）。
【００８２】
すると、保存先指定支援装置２０は、ブラウジング起点リスト画面を表示する（ステップ１８２）。具体的には、まず、表示情報生成部２８が、ブラウジング起点リスト画面を表示するための表示情報を生成する。次に、表示制御部２９が、この表示情報に基づいてブラウジング起点リスト画面が操作パネル１５（図２参照）に表示されるように制御する。但し、この時点では、ブラウジング起点リスト画面にブラウジング起点リストは含まれていない。
【００８３】
その後、操作受付部２４が、ブラウジング起点リスト画面上でログイン確認ボタン３５（図４参照）を押下するユーザ操作を受け付ける（ステップ１８３）。すると、ユーザＩＤ及びパスワードの入力画面が表示されるので、操作受付部２４は、ＳＭＢによりログインするためのユーザＩＤ及びパスワードを入力するユーザ操作を受け付ける（ステップ１８４）。このとき、ユーザＩＤ及びパスワードは、ブラウジング起点リスト管理部２２に渡されるものとする。
【００８４】
これにより、ブラウジング起点リスト管理部２２は、ブラウジング起点リスト保持部２１に保持されているブラウジング起点リストに含まれるブラウジング起点パスの中で、ログイン未確認のパスがあるかどうかを判定する（ステップ１８５）。
【００８５】
ログイン未確認のパスがあると判定されれば、保存先指定支援装置２０は、そのようなパスの１つに対して、ステップ１８４で入力されたユーザＩＤ及びパスワードを用いて、ログインを実施する（ステップ１８６）。具体的には、まず、ブラウジング起点リスト管理部２２が、ログイン未確認のブラウジング起点パスと、操作受付部２４から受け取ったユーザＩＤ及びパスワードとを送信情報生成部２５に出力する。次に、送信情報生成部２５が、そのブラウジング起点パスにそのユーザＩＤ及びパスワードでログインできるかどうかの検証要求を含む送信情報を生成する。次いで、送信部２６が、ブラウジング起点パスにログインできるかどうかの検証要求を含む送信情報を、そのパスに対応する端末装置４０に送信する。
【００８６】
保存先指定支援装置２０は、ステップ１８５で実施したログインに対する応答に基づいて、そのブラウジング起点パスに対するログインが成功したかどうかを判定する（ステップ１８７）。具体的には、まず、受信部２７が、ステップ１８６で送信した検証要求に対する応答を受信する。次に、ブラウジング起点リスト管理部２２が、受信部２７から応答を受け取り、応答内容に基づいて、そのブラウジング起点パスにログイン可能であるかを判定する。
【００８７】
ログインが成功しなかったと判定されれば、処理はステップ１８５へ戻り、他の未確認のブラウジング起点パスについて同じ処理を繰り返す。ログインが成功したと判定すれば、保存先指定支援装置２０は、ログイン確認済みのブラウジング起点リストに、このログインが成功したブラウジング起点パスと、ブラウジング起点リストにおいてこのブラウジング起点パスに対応づけられたユーザＩＤとを含める（ステップ１８８）。具体的には、ブラウジング起点リスト管理部２２が、ログイン確認済みのブラウジング起点リストを保持する表示情報生成部２８に対して、ログインが成功したブラウジング起点パスと対応するユーザＩＤとを出力する。
【００８８】
ステップ１８５でログイン未確認のパスがないと判定されれば、保存先指定支援装置２０は、ログイン確認済みのブラウジング起点リストを表示する（ステップ１８９）。具体的には、まず、表示情報生成部２８が、ステップ１８８でブラウジング起点リスト管理部２２から受け取ったブラウジング起点パス及びユーザＩＤをリスト化したブラウジング起点リストを含むブラウジング起点リスト画面を表示するための表示情報を生成する。次いで、表示制御部２９が、この表示情報に基づいてブラウジング起点リスト画面が操作パネル１５（図２参照）に表示されるように制御する。
【００８９】
その後、操作受付部２４が、ブラウジング起点リスト上でブラウジング起点パスを選択するユーザ操作を受け付ける（ステップ１９０）。そして、この選択されたブラウジング起点パスを起点としてブラウジングを行い、画像データの保存先を決定するユーザ操作を受け付ける（ステップ１９１）。
【００９０】
尚、ここで決定された保存先の情報は、送信情報生成部２５に渡され、画像取得部２３が取得した画像データと共に、送信情報生成部２５から送信部２６へ渡されることになる。そして、送信部２６により、画像データがその決定された保存先に送信されることになる。
【００９１】
また、図７の動作例で説明したように、ステップ１９１で決定された保存先のパスも、ブラウジング起点リスト管理部２２に渡され、ブラウジング起点パスとして登録する処理の対象となってよい。
【００９２】
尚、本実施の形態では、ユーザが、画像データの保存先への送信の指示、アドレス帳への保存先の登録の指示、又は、アドレス帳からの保存先の取得の指示を行えば、ブラウジング起点パスの登録の指示を明示的に行わなくても、ブラウジング起点パスが登録されるようにした。しかしながら、ユーザが、画像データの保存先への送信の指示、アドレス帳への保存先の登録の指示、又は、アドレス帳からの保存先の取得の指示を行った後に、ブラウジング起点パスの登録の指示を明示的に行うことにより、ブラウジング起点パスが登録されるようにしてもよい。
【００９３】
また、本実施の形態では、画像データを送信する保存先を指定する操作、アドレス帳に登録する保存先を指定する操作、又は、アドレス帳からの保存先の取得を指示する操作を行った際に、保存先のパスの全部又は一部を抽出するようにしたが、これには限らない。より一般化して、保存先を対象とする何らかの操作を行った際に、保存先のパスの全部又は一部を抽出するものと捉えてもよい。
【００９４】
更に、本実施の形態では、ブラウジング起点パスを記憶する際に保存先のパスの全部又は一部を抽出した。これにより、特に、保存先のパスの一部を抽出する場合は、ブラウジング起点リスト保持部２１で用いる記憶領域が削減されることとなる。しかしながら、保存先のパスの全部又は一部を抽出するタイミングはこれには限らない。保存先のパスを全て記憶しておき、ブラウジング起点パスを表示する際に保存先のパスの全部又は一部を抽出するようにしてもよい。
【００９５】
更にまた、本実施の形態では、画像読取装置１０で読み取られた画像データが複数の端末装置４０の何れかに送信される環境を前提としたが、これには限らない。複数のユーザが利用する画像読取装置１０を設置するような環境では、複数のユーザが利用するファイルサーバが設置され、そのファイルサーバには複数のユーザがアクセス可能であることが多い。また、複数のユーザが利用するファイルサーバでは、フォルダについてユーザごとのアクセス権が管理されている場合もあるが、その場合においても、より上位の共用のフォルダは複数のユーザがアクセス可能となっている。従って、本実施の形態では、このような環境を前提としてもよい。
【００９６】
尚、本実施の形態を実現するプログラムは、通信手段により提供することはもちろん、ＣＤ−ＲＯＭ等の記録媒体に格納して提供することも可能である。
【符号の説明】
【００９７】
１０…画像読取装置、２０…保存先指定支援装置、２１…ブラウジング起点リスト保持部、２２…ブラウジング起点リスト管理部、２３…画像取得部、２４…操作受付部、２５…送信情報生成部、２６…送信部、２７…受信部、２８…表示情報生成部、２９…表示制御部、４０…端末装置、８０…通信回線
【図１】
0006439318.tif 000002
【図２】
0006439318.tif 000003
【図３】
0006439318.tif 000004
【図４】
0006439318.tif 000005
【図５】
0006439318.tif 000006
【図６】
0006439318.tif 000007
【図７】
0006439318.tif 000008
【図８】
0006439318.tif 000009
【図９】
0006439318.tif 000010
【図１０】
0006439318.tif 000011
【図１１】
0006439318.tif 000012